(57)【要約】【課題】  記録用紙と、記録用紙以外の記録媒体との双方の記録に利用可能なインクジェット記録用水性インクと、定着剤と、を含むインクセットを提供する。【解決手段】  本発明のインクセットは、インクジェット記録用水性インクと、定着剤と、を含むインクセットであって、前記インクジェット記録用水性インクは、直接染料及び酸性染料の少なくとも一方と、水、とを含み、前記定着剤は、式（１）で表されるカチオン性化合物を含むことを特徴とする。【化１】2018172500.tif 000009式（１）において、Ｒ１〜Ｒ４は、それぞれ、炭素原子数１〜２０の炭化水素基であり、Ｒ１〜Ｒ４は互いに同一でも異なっていてもよく、Ｘ−は、アニオンである。【選択図】  なし【特許請求の範囲】
【請求項１】
インクジェット記録用水性インクと、定着剤と、を含むインクセットであって、
前記インクジェット記録用水性インクは、直接染料及び酸性染料の少なくとも一方と、水と、を含み、
前記定着剤は、式（１）で表されるカチオン性化合物を含むことを特徴とするインクセット。
【化１】
2018172500.tif 000006
式（１）において、
Ｒ１〜Ｒ４は、それぞれ、炭素原子数１〜２０の炭化水素基であり、Ｒ１〜Ｒ４は互いに同一でも異なっていてもよく、
Ｘ−は、アニオンである。
【請求項２】
式（１）において、
Ｒ１〜Ｒ３は、それぞれ、炭素原子数１〜５のアルキル基であり、Ｒ１〜Ｒ３は互いに同一でも異なっていてもよく、
Ｒ４は、炭素原子数６〜３０のアルキル基であり、
Ｒ１〜Ｒ４のアルキル基は置換基を有してもよく、直鎖でも分岐鎖でもよく、
Ｘ−は、アニオンである
請求項１記載のインクセット。
【請求項３】
式（１）において、
Ｘ−は、メチル硫酸イオン、エチル硫酸イオン、硫酸イオン、硝酸イオン、酢酸イオン、ジカルボン酸イオン、トリカルボン酸イオン及び水酸化物イオンからなる群から選択される少なくとも一つである
請求項１又は２記載のインクセット。
【請求項４】
前記定着剤全量における前記カチオン性化合物の配合量が、１重量％以上である請求項１〜３のいずれか一項に記載のインクセット。
【請求項５】
前記定着剤が、さらに、水を含み、
前記定着剤全量における前記水の配合量が、８０重量％以上である請求項１〜４のいずれか一項に記載のインクセット。
【請求項６】
前記定着剤が、さらに、湿潤剤を含む請求項１〜５のいずれか一項に記載のインクセット。
【請求項７】
前記湿潤剤が、多価アルコールである請求項６記載のインクセット。
【請求項８】
前記定着剤が、さらに、浸透剤を含む請求項１〜７のいずれか一項に記載のインクセット。
【請求項９】
前記定着剤全量における前記浸透剤の配合量が、０．４重量％〜１０重量％である請求項８記載のインクセット。
【請求項１０】
前記浸透剤が、グリコールエーテルである請求項８又は９記載のインクセット。
【請求項１１】
前記湿潤剤は、プロピレングリコールを含み、
前記浸透剤は、トリエチレングリコール−ｎ−ブチルエーテルを含む請求項１０記載のインクセット。
【請求項１２】
前記定着剤が、さらに、界面活性剤を含む請求項１〜１１のいずれか一項に記載のインクセット。
【請求項１３】
前記定着剤全量における前記界面活性剤の配合量が、０．２重量％〜２重量％である請求項１２記載のインクセット。
【請求項１４】
前記界面活性剤が、ノニオン界面活性剤である請求項１２又は１３記載のインクセット。
【請求項１５】
前記定着剤が、さらに、湿潤剤を含み、
前記湿潤剤は、プロピレングリコールを含み、
前記界面活性剤は、式（２）で表されるアセチレングリコール系ノニオン界面活性剤を含む請求項１２〜１４のいずれか一項に記載のインクセット。
【化２】
2018172500.tif 000007
式（２）において、
Ｒ１１〜Ｒ１４は、それぞれ、炭素原子数１〜５のアルキル基であり、Ｒ１１〜Ｒ１４は互いに同一でも異なっていてもよく、
ｍ及びｎは、同一でも異なっていてもよく、ｍ＋ｎ＝１〜１５を満たす数であり、
Ｒ１１〜Ｒ１４のアルキル基は、直鎖でも分岐鎖でもよい。
【請求項１６】
インクジェット記録用水性インク及び定着剤を含むインクセットを用いて記録する記録方法であって、
記録媒体の種類に応じて前記定着剤を付与するか否かを選択し、付与することを選択したときは前記記録媒体に前記定着剤を付与する定着剤付与工程と、
前記記録媒体に前記水性インクをインクジェット方式により吐出して記録する記録工程と、を含み、
前記水性インクは、染料と、水と、を含み、
前記定着剤は、式（１）で表されるカチオン性化合物を含み、
前記定着剤付与工程において、前記記録媒体が記録用紙以外の記録媒体である場合に、前記定着剤を付与することを選択することを特徴とする記録方法。
【化３】
2018172500.tif 000008
式（１）において、
Ｒ１〜Ｒ４は、それぞれ、炭素原子数１〜２０の炭化水素基であり、Ｒ１〜Ｒ４は互いに同一でも異なっていてもよく、
Ｘ−は、アニオンである。
【請求項１７】
前記記録用紙以外の記録媒体が、布帛である請求項１６記載の記録方法。
【請求項１８】
前記記録媒体が、記録用紙以外の記録媒体である場合に、前記定着剤付与工程後に、前記記録媒体を２１０℃以下で熱処理して乾燥する乾燥工程を含む請求項１６又は１７記載の記録方法。
【発明の詳細な説明】
【技術分野】
【０００１】
本発明は、インクセット及び記録方法に関する。
【背景技術】
【０００２】
コピー用紙やレポート用紙等の普通紙に対し、染料を含有する水性インク（以下、「水性染料インク」と言うことがある。）を用いて印字を行うインクジェット記録方法が提案されている（特許文献１）。
【先行技術文献】
【特許文献】
【０００３】
【特許文献１】特開２００３−１２７３５１号公報
【発明の概要】
【発明が解決しようとする課題】
【０００４】
しかしながら、普通紙等の記録用紙に加え、それ以外の布帛等の記録媒体にも記録可能な、水性染料インクを用いた新たなインクジェット記録方法が求められている。このとき、記録用紙向けの水性染料インクを布帛への記録に転用するのみでは、布帛を水洗すると、色落ちしてしまう。また、記録用紙への記録時と、布帛への記録時とにおける色の変化（色差）が小さいことも求められる。
【０００５】
そこで、本発明は、記録用紙と、記録用紙以外の記録媒体との双方の記録に利用可能なインクジェット記録用水性インクと、定着剤と、を含むインクセットを提供することを目的とする。
【課題を解決するための手段】
【０００６】
前記目的を達成するために、本発明のインクセットは、
インクジェット記録用水性インクと、定着剤と、を含むインクセットであって、
前記インクジェット記録用水性インクは、直接染料及び酸性染料の少なくとも一方と、水と、を含み、
前記定着剤は、式（１）で表されるカチオン性化合物を含むことを特徴とする。
【化１】
2018172500.tif 000002
式（１）において、
Ｒ１〜Ｒ４は、それぞれ、炭素原子数１〜２０の炭化水素基であり、Ｒ１〜Ｒ４は互いに同一でも異なっていてもよく、
Ｘ−は、アニオンである。
【発明の効果】
【０００７】
本発明のインクセットは、直接染料及び酸性染料の少なくとも一方を含む水性染料インクと、式（１）で表されるカチオン性化合物を含む定着剤と、を含むことで、記録用紙と、記録用紙以外の記録媒体との双方の記録に利用可能である。
【図面の簡単な説明】
【０００８】
【図１】図１は、本発明のインクジェット記録装置の一例の構成を示す概略斜視図である。
【図２】図２（ａ）及び（ｂ）は、本発明の記録方法による記録例を示す図である。
【発明を実施するための形態】
【０００９】
［インクセット］
本発明のインクセットについて説明する。本発明のインクセットは、インクジェット記録用水性インク（以下、「水性インク」又は「インク」と言うことがある。）と、定着剤と、を含む。
【００１０】
（水性インク）
まず、前記水性インクについて説明する。前記水性インクは、直接染料及び酸性染料の少なくとも一方と、水と、を含む。
【００１１】
前記直接染料及び前記酸性染料の色素骨格としては、特に制限するものではないが、例えば、モノメチン系、ジメチン系、トリメチン系、シアニン系、メロシアニン系、ジシアノスチリル系、ジフェニルメタン系、トリフェニルメタン系、キサンテン系、スクアリリウム系、キノフタロン系、モノアゾ系、ビスアゾ系、ジスアゾ系、トリスアゾ系、キノフタロン系、アントラキノン系、アントラピリドン系、ペリレン系、ジケトピロロピロール系、イソインドリノン系、フタロシアニン系、アゾメチン系、ジオキサジン系、ジピロメテン系の色素骨格及びそれらの金属錯体等があげられる。
【００１２】
前記水性インクを、例えば、水性イエローインクとして用いる場合には、前記直接染料及び前記酸性染料の少なくとも一方は、例えば、ジスアゾ系染料を含んでもよい。また、前記水性インクを、例えば、水性マゼンタインクとして用いる場合には、前記直接染料及び前記酸性染料の少なくとも一方は、例えば、アントラピリドン系染料を含んでもよい。そして、前記水性インクを、例えば、水性シアンインクとして用いる場合には、前記直接染料及び前記酸性染料の少なくとも一方は、例えば、フタロシアニン系染料を含んでもよい。
【００１３】
前記直接染料は、特に限定されず、例えば、Ｃ．Ｉ．ダイレクトブラック、Ｃ．Ｉ．ダイレクトブルー、Ｃ．Ｉ．ダイレクトレッド、Ｃ．Ｉ．ダイレクトイエロー、Ｃ．Ｉ．ダイレクトオレンジ、Ｃ．Ｉ．ダイレクトバイオレット、Ｃ．Ｉ．ダイレクトブラウン、Ｃ．Ｉ．ダイレクトグリーン等があげられる。前記Ｃ．Ｉ．ダイレクトブラックとしては、例えば、Ｃ．Ｉ．ダイレクトブラック１７、１９、３２、５１、７１、１０８、１４６、１５４及び１６８等があげられる。前記Ｃ．Ｉ．ダイレクトブルーとしては、例えば、Ｃ．Ｉ．ダイレクトブルー６、２２、２５、７１、８６、９０、１０６及び１９９等があげられる。前記Ｃ．Ｉ．ダイレクトレッドとしては、例えば、Ｃ．Ｉ．ダイレクトレッド１、４、１７、２８、８３及び２２７等があげられる。前記Ｃ．Ｉ．ダイレクトイエローとしては、例えば、Ｃ．Ｉ．ダイレクトイエロー１２、２４、２６、８６、９８、１３２、１４２及び１７３等があげられる。前記Ｃ．Ｉ．ダイレクトオレンジとしては、例えば、Ｃ．Ｉ．ダイレクトオレンジ３４、３９、４４、４６及び６０等があげられる。前記Ｃ．Ｉ．ダイレクトバイオレットとしては、例えば、Ｃ．Ｉ．ダイレクトバイオレット４７及び４８等があげられる。前記Ｃ．Ｉ．ダイレクトブラウンとしては、例えば、Ｃ．Ｉ．ダイレクトブラウン１０９等があげられる。前記Ｃ．Ｉ．ダイレクトグリーンとしては、例えば、Ｃ．Ｉ．ダイレクトグリーン５９等があげられる。
【００１４】
前記酸性染料も、特に限定されず、例えば、Ｃ．Ｉ．アシッドブラック、Ｃ．Ｉ．アシッドブルー、Ｃ．Ｉ．アシッドレッド、Ｃ．Ｉ．アシッドイエロー、Ｃ．Ｉ．アシッドオレンジ、Ｃ．Ｉ．アシッドバイオレット等があげられる。前記Ｃ．Ｉ．アシッドブラックとしては、例えば、Ｃ．Ｉ．アシッドブラック２、７、２４、２６、３１、５２、６３、１１２及び１１８等があげられる。前記Ｃ．Ｉ．アシッドブルーとしては、例えば、Ｃ．Ｉ．アシッドブルー９、２２、４０、５９、９０、９３、１０２、１０４、１１７、１２０、１６７、２２９及び２３４等があげられる。前記Ｃ．Ｉ．アシッドレッドとしては、例えば、Ｃ．Ｉ．アシッドレッド１、６、３２、３７、５１、５２、８０、８５、８７、９２、９４、１１５、１８０、２５６、２８９、３１５及び３１７等があげられる。前記Ｃ．Ｉ．アシッドイエローとしては、例えば、Ｃ．Ｉ．アシッドイエロー１１、１７、２３、２５、２９、４２、６１及び７１等があげられる。前記Ｃ．Ｉ．アシッドオレンジとしては、例えば、Ｃ．Ｉ．アシッドオレンジ７及び１９等があげられる。前記Ｃ．Ｉ．アシッドバイオレットとしては、例えば、Ｃ．Ｉ．アシッドバイオレット４９等があげられる。
【００１５】
前記水性インク全量における前記直接染料及び前記酸性染料の少なくとも一方の配合量は、特に限定されず、例えば、０．１重量％〜２０重量％、１重量％〜１５重量％、２重量％〜１０重量％である。前記直接染料及び前記酸性染料の少なくとも一方は、１種類を単独で用いてもよく、２種類以上を併用してもよい。
【００１６】
前記水は、イオン交換水又は純水であることが好ましい。前記水性インク全量における前記水の配合量は、例えば、他の成分の残部としてもよい。
【００１７】
前記水性インクは、さらに、水溶性有機溶剤を含んでもよい。前記水溶性有機溶剤としては、例えば、インクジェットヘッドのノズル先端部におけるインクの乾燥を防止する湿潤剤及び記録媒体上での乾燥速度を調整する浸透剤があげられる。
【００１８】
前記湿潤剤は、特に限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール等のポリエーテル；アルキレングリコール、グリセリン、トリメチロールプロパン、トリメチロールエタン等の多価アルコール；２−ピロリドン；Ｎ−メチル−２−ピロリドン；１，３−ジメチル−２−イミダゾリジノン；等があげられる。前記ポリアルキレングリコールは、例えば、ポリエチレングリコール、ポリプロピレングリコール等があげられる。前記アルキレングリコールは、例えば、エチレングリコール、プロピレングリコール、ブチレングリコール、ジエチレングリコール、トリエチレングリコール、ジプロピレングリコール、トリプロピレングリコール、チオジグリコール、ヘキシレングリコール等があげられる。これらの湿潤剤は、１種類を単独で用いてもよいし、２種類以上を併用してもよい。これらの中で、アルキレングリコール、グリセリン等の多価アルコールが好ましい。
【００１９】
前記水性インク全量における前記湿潤剤の配合量は、例えば、０重量％〜９５重量％、５重量％〜８０重量％、５重量％〜５０重量％である。
【００２０】
前記浸透剤は、例えば、グリコールエーテルがあげられる。前記グリコールエーテルは、例えば、エチレングリコールメチルエーテル、エチレングリコールエチルエーテル、エチレングリコール−ｎ−プロピルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコール−ｎ−ヘキシルエーテル、トリエチレングリコールメチルエーテル、トリエチレングリコールエチルエーテル、トリエチレングリコール−ｎ−プロピルエーテル、トリエチレングリコール−ｎ−ブチルエーテル、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールメチルエーテル、トリプロピレングリコールエチルエーテル、トリプロピレングリコール−ｎ−プロピルエーテル及びトリプロピレングリコール−ｎ−ブチルエーテル等があげられる。前記浸透剤は、１種類を単独で用いてもよいし、２種類以上を併用してもよい。
【００２１】
前記水性インク全量における前記浸透剤の配合量は、例えば、０重量％〜２０重量％、０重量％〜１５重量％、１重量％〜６重量％である。
【００２２】
前記水性インクは、必要に応じて、さらに、従来公知の添加剤を含んでもよい。前記添加剤としては、例えば、界面活性剤、ｐＨ調整剤、粘度調整剤、表面張力調整剤、防黴剤等があげられる。前記粘度調整剤は、例えば、ポリビニルアルコール、セルロース等があげられる。
【００２３】
前記水性インクは、例えば、前記直接染料及び前記酸性染料の少なくとも一方と、前記水と、必要に応じて他の添加成分とを、従来公知の方法で均一に混合し、フィルタ等で不溶解物を除去することにより調製できる。
【００２４】
（定着剤）
つぎに、前記定着剤について説明する。前記定着剤は、式（１）で表されるカチオン性化合物を含む。前記定着剤は、式（１）で表されるカチオン性化合物を含むことが特徴であり、その他の構成は何ら制限されない。
【００２５】
式（１）において、Ｒ１〜Ｒ４は、それぞれ、炭素原子数１〜２０の炭化水素基であり、例えば、後述のアルキル基に加え、アリール基等があげられる。式（１）において、Ｒ１〜Ｒ４は互いに同一でも異なっていてもよい。
【００２６】
式（１）において、Ｒ１〜Ｒ３は、それぞれ、炭素原子数１〜５のアルキル基であってもよい。前記炭素原子数１〜５のアルキル基は、直鎖でも分岐鎖でもよく、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ｓｅｃ−ペンチル基、３−ペンチル基、ｔｅｒｔ−ペンチル基があげられる。前記炭素原子数１〜５のアルキル基は、ハロゲン原子等の置換基を有してもよい。式（１）において、Ｒ１〜Ｒ３は互いに同一でも異なっていてもよい。
【００２７】
式（１）において、Ｒ４は、炭素原子数６〜３０のアルキル基であってもよい。前記炭素原子数６〜３０のアルキル基としては、例えば、ヘキシル基、ヘプチル基、オクチル基、ノニル基、デシル基、ラウリル基（ドデシル基）、テトラデシル基、セチル基（ヘキサデシル基）等があげられる。炭素原子数６〜３０のアルキル基は、ハロゲン原子等の置換基を有してもよく、直鎖でも分岐鎖でもよい。
【００２８】
式（１）において、Ｘ−は、アニオンである。前記アニオンは、いかなるものであってもよいが、例えば、メチル硫酸イオン、エチル硫酸イオン、硫酸イオン、硝酸イオン、酢酸イオン、ジカルボン酸（例えば、リンゴ酸、イタコン酸等）イオン、トリカルボン酸（例えば、クエン酸等）イオン、水酸化物イオン、ハロゲン化物イオン等があげられる。Ｘ−がジカルボン酸イオン又はトリカルボン酸イオンである場合には、ジカルボン酸イオン又はトリカルボン酸イオンが、２つ又は３つの第４級アンモニウムイオン（式（１）からＸ−を除いたカチオン）のカウンターイオンとなる。
【００２９】
式（１）で表されるカチオン性化合物としては、例えば、ラウリルトリメチルアンモニウム硫酸塩、ラウリルトリメチルアンモニウムクロリド、セチルトリメチルアンモニウムクロリド、ベンジルジメチルアルキルアンモニウムクロリド等があげられる。式（１）で表されるカチオン性化合物は、自家調製してもよいし、市販品を用いてもよい。前記市販品としては、例えば、第一工業製薬（株）製の「カチオーゲン（登録商標）ＴＭＬ」、「カチオーゲン（登録商標）ＴＭＰ」及び「カチオーゲン（登録商標）ＥＳ−Ｏ」；東京化成工業（株）製の「塩化ベンザルコニウム」；等があげられる。
【００３０】
前記定着剤全量における前記カチオン性化合物の配合量は、例えば、０．５重量％〜４０重量％、０．５重量％〜２０重量％、０．９重量％〜１０重量％、１重量％〜１０重量％である。
【００３１】
前記定着剤は、さらに、水を含んでもよい。前記水は、イオン交換水又は純水であることが好ましい。前記定着剤全量における前記水の配合量は、例えば、３０重量％以上、５０重量％以上、８０重量％以上である。
【００３２】
前記定着剤は、さらに、湿潤剤を含んでもよい。前記湿潤剤としては、例えば、前記水性インクにおいて例示したものと同様のものを用い得、多価アルコールが好ましく、プロピレングリコールが特に好ましい。前記定着剤全量における前記湿潤剤の配合量は、例えば、０重量％〜８０重量％、１重量％〜６０重量％、１重量％〜５０重量％である。
【００３３】
前記定着剤は、さらに、浸透剤を含んでもよい。前記浸透剤としては、例えば、前記水性インクにおいて例示したものと同様のグリコールエーテルがあげられ、トリエチレングリコール−ｎ−ブチルエーテルが特に好ましい。前記定着剤全量における前記浸透剤の配合量は、例えば、０重量％〜２０重量％、０．２重量％〜１０重量％、０．４重量％〜１０重量％である。前記定着剤全量における前記浸透剤の配合量が０．４重量％〜１０重量％であれば、例えば、記録媒体が布帛である場合に、前記定着剤が前記布帛により均一に浸透し、前記定着剤としての機能がより発揮されやすく、前記布帛の水洗による色落ちをより抑制できると推定される。また、前記定着剤全量における前記浸透剤の配合量が１０重量％を超えると、例えば、記録媒体が布帛である場合に、前記定着剤が前記布帛の奥深くにまで浸透してしまい、前記定着剤としての機能が発揮されにくくなるため、前記布帛の水洗により色落ちしやすくなると推定される。ただし、これらのメカニズムは推定に過ぎず、本発明はこれに限定されない。
【００３４】
前記定着剤は、さらに、界面活性剤を含んでもよい。前記界面活性剤としては、例えば、ノニオン界面活性剤、カチオン界面活性剤等があげられ、式（２）で表されるアセチレングリコール系ノニオン界面活性剤であってもよい。式（２）において、ｍ及びｎは、同一でも異なっていてもよく、ｍ＋ｎ＝１〜１５を満たす数であり、例えば、ｍ＋ｎ＝３〜１１を満たす数であってもよい。Ｒ１１〜Ｒ１４は、それぞれ、炭素原子数１〜５のアルキル基である。前記炭素原子数１〜５のアルキル基は、直鎖でも分岐鎖でもよく、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ｓｅｃ−ペンチル基、３−ペンチル基、ｔｅｒｔ−ペンチル基があげられる。式（２）において、Ｒ１１〜Ｒ１４は互いに同一でも異なっていてもよい。
【化２】
2018172500.tif 000003
【００３５】
式（２）で表されるアセチレングリコール系ノニオン界面活性剤は、例えば、市販品を用いてもよい。前記市販品としては、例えば、日信化学工業（株）製の「オルフィン（登録商標）Ｅ１００４」、「オルフィン（登録商標）Ｅ１０１０」、「サーフィノール（登録商標）４４０」及び「サーフィノール（登録商標）４６５」；川研ファインケミカル（株）製の「アセチレノール（登録商標）Ｅ４０」及び「アセチレノール（登録商標）Ｅ１００」；等があげられる。
【００３６】
前記定着剤全量における前記界面活性剤の配合量は、例えば、０重量％〜２０重量％、０．１重量％〜１０重量％、０．１重量％〜３重量％、０．２重量％〜２重量％である。前記定着剤全量における前記界面活性剤の配合量が０．２重量％〜２重量％であれば、例えば、記録媒体が布帛である場合に、前記定着剤が前記布帛により均一に浸透し、前記定着剤としての機能がより発揮されやすく、前記布帛の水洗による色落ちをより抑制できると推定される。また、前記定着剤全量における前記界面活性剤の配合量が２重量％を超えると、例えば、記録媒体が布帛である場合に、前記定着剤が前記布帛の奥深くにまで浸透してしまい、前記定着剤としての機能が発揮されにくくなるため、前記布帛の水洗により色落ちしやすくなると推定される。ただし、これらのメカニズムは推定に過ぎず、本発明はこれに限定されない。
【００３７】
前記定着剤は、必要に応じて、さらに、従来公知の添加剤を含んでもよい。前記添加剤としては、例えば、前記水性インクにおいて例示したものと同様のものを用い得る。
【００３８】
前記定着剤は、例えば、前記カチオン性化合物と、必要に応じて他の添加成分とを、従来公知の方法で均一に混合することにより調製できる。
【００３９】
［記録方法］
つぎに、本発明の記録方法について説明する。
【００４０】
本発明の記録方法は、
インクジェット記録用水性インク及び定着剤を含むインクセットを用いて記録する記録方法であって、
記録媒体の種類に応じて前記定着剤を付与するか否かを選択し、付与することが選択されたときは前記記録媒体に前記定着剤を付与する定着剤付与工程と、
前記記録媒体に前記水性インクをインクジェット方式により吐出して記録する記録工程と、を含み、
前記水性インクは、染料と、水と、を含み、
前記定着剤は、式（１）で表されるカチオン性化合物を含み、
前記定着剤付与工程において、前記記録媒体が記録用紙以外の記録媒体である場合に、前記定着剤を付与することを選択することを特徴とする。前記記録は、印字、印画、印刷等を含む。
【００４１】
本発明の記録方法において、前記記録用紙以外の記録媒体としては、例えば、布帛等があげられる。前記布帛は、編物及び織物の双方を含む。前記布帛の材質は、天然繊維であっても、合成繊維であってもよい。前記天然繊維としては、例えば、綿、絹等があげられる。前記合成繊維としては、例えば、ポリエステル、ナイロン、アクリル等があげられる。
【００４２】
本発明の記録方法における前記インクセットは、前記水性インクに含まれる染料が、直接染料及び酸性染料に限定されない点を除き、前述の本発明のインクセットと同様であり、その説明を援用できる。直接染料及び酸性染料以外の前記染料としては、特に限定されず、例えば、反応性染料等があげられる。直接染料及び酸性染料以外の前記染料の具体例としては、例えば、Ｃ．Ｉ．フードブラック等があげられる。前記Ｃ．Ｉ．フードブラックとしては、例えば、Ｃ．Ｉ．フードブラック１及び２等があげられる。
【００４３】
本発明の記録方法は、例えば、つぎに説明する本発明のインクジェット記録装置を用いて実施可能である。
【００４４】
本発明のインクジェット記録装置は、インクセット収容部と、定着剤付与手段と、インク吐出手段と、を含むインクジェット記録装置であって、前記インクセット収容部に、本発明の記録方法における前記インクセットが収容され、前記インクセットを構成する前記定着剤を、前記定着剤付与手段によって記録媒体に付与可能であり、前記インクセットを構成する前記水性インクが、前記インク吐出手段によって前記記録媒体に吐出されることを特徴とする。
【００４５】
図１に、本発明のインクジェット記録装置の一例の構成を示す。図示のとおり、このインクジェット記録装置１は、４つのインクカートリッジ２と、インク吐出手段（インクジェットヘッド）３と、ヘッドユニット４と、キャリッジ５と、駆動ユニット６と、プラテンローラ７と、パージ装置８と、を主要な構成要素として含む。
【００４６】
４つのインクカートリッジ２は、イエロー、マゼンタ、シアン及びブラックの４色の水性インクを、それぞれ１色ずつ含む。例えば、前記４色の水性インクのうちの少なくとも一つが、前記インクセットを構成する水性インクである。本例では、４つのインクカートリッジ２のセットを示したが、これに代えて、水性イエローインク収納部、水性マゼンタインク収納部、水性シアンインク収納部及び水性ブラックインク収納部を形成するようにその内部が間仕切りされた一体型のインクカートリッジを用いてもよい。前記インクカートリッジの本体としては、例えば、従来公知のものを使用できる。
【００４７】
ヘッドユニット４に設置されたインクジェットヘッド３は、記録媒体（例えば、記録用紙Ｐ）に記録を行う。なお、前記記録媒体は、布帛等の記録用紙Ｐ以外の記録媒体であってもよい。キャリッジ５には、４つのインクカートリッジ２及びヘッドユニット４が搭載される。駆動ユニット６は、キャリッジ５を直線方向に往復移動させる。駆動ユニット６としては、例えば、従来公知のものを使用できる（例えば、特開２００８−２４６８２１号公報参照）。プラテンローラ７は、キャリッジ５の往復方向に延び、インクジェットヘッド３と対向して配置されている。
【００４８】
パージ装置８は、インクジェットヘッド３の内部に溜まる気泡等を含んだ不良インクを吸引する。パージ装置８としては、例えば、従来公知のものを使用できる（例えば、特開２００８−２４６８２１号公報参照）。
【００４９】
パージ装置８のプラテンローラ７側には、パージ装置８に隣接してワイパ部材２０が配設されている。ワイパ部材２０は、へら状に形成されており、キャリッジ５の移動に伴って、インクジェットヘッド３のノズル形成面を拭うものである。図１において、キャップ１８は、水性インクの乾燥を防止するため、記録が終了するとリセット位置に戻されるインクジェットヘッド３の複数のノズルを覆うものである。
【００５０】
本例のインクジェット記録装置１においては、４つのインクカートリッジ２は、ヘッドユニット４と共に、１つのキャリッジ５に搭載されている。ただし、本発明は、これに限定されない。インクジェット記録装置１において、４つのインクカートリッジ２の各カートリッジは、ヘッドユニット４とは別のキャリッジに搭載されていてもよい。また、４つのインクカートリッジ２の各カートリッジは、キャリッジ５には搭載されず、インクジェット記録装置１内に配置、固定されていてもよい。これらの態様においては、例えば、４つのインクカートリッジ２の各カートリッジと、キャリッジ５に搭載されたヘッドユニット４とが、チューブ等により連結され、４つのインクカートリッジ２の各カートリッジからヘッドユニット４に前記水性インクが供給される。また、これらの態様においては、４つのインクカートリッジ２に代えて、ボトル形状の４つのインクボトルを用いてもよい。この場合、前記インクボトルには、外部から内部にインクを注入するための注入口が設けられていることが好ましい。
【００５１】
このインクジェット記録装置１を用いた記録は、例えば、つぎのようにして実施される。まず、記録媒体の種類に応じて前記インクセットを構成する定着剤を付与するか否かを選択し、付与することを選択したときは前記記録媒体に前記定着剤を付与する。具体的には、前記記録媒体が記録用紙Ｐ以外の記録媒体（例えば、布帛等）である場合に、前記記録媒体に前記定着剤を付与する。本発明において、前記定着剤の付与は、例えば、スプレー方式、スタンプ塗布、刷毛塗り、ローラ塗布、インクジェット方式等により実施できる。前記定着剤の付与は、前記記録媒体の記録面の全面でもよく、一部でもよい。一部に付与する場合、前記記録媒体の記録面の少なくとも水性インクによる記録部分が付与部となる。一部に付与する場合、付与部の大きさは、記録部分よりも大きい方がよい。例えば、図２（ａ）に示すように、記録媒体Ｆに対し、文字（Ｘ）を記録する場合は、前記文字の線幅よりも大きな線幅で付与部３０を形成するように前記定着剤を付与することが好ましい。また、図２（ｂ）に示すように、記録媒体Ｆに対し、図柄を記録する場合は、前記図柄よりも大きな付与部４０を形成するように前記定着剤を付与することが好ましい。本発明の記録方法は、例えば、前記記録媒体が記録用紙Ｐ以外の記録媒体である場合に、前記定着剤付与工程後、前記記録媒体を２１０℃以下で熱処理して乾燥する乾燥工程を含んでもよい。前記乾燥工程における熱処理温度の下限値は、特に制限されず、例えば、８０℃以上である。前記記録媒体が記録用紙Ｐである場合には、これらの工程を行うことなく、つぎの工程を実施する。
【００５２】
つぎに、インクジェットヘッド３から、前記記録媒体に、前記水性インクを吐出する。このとき、前記記録媒体が記録用紙Ｐ以外の記録媒体である場合には、前記定着剤の付与部に、前記水性インクを吐出する。
【００５３】
本例では、前記記録媒体が記録用紙Ｐ以外の記録媒体である場合において、前記定着剤を、前記水性インクの吐出に先立ち前記記録媒体に付与する前処理剤として使用している。ただし、本発明は、これに限定されない。本発明では、前記記録媒体に前記水性インクを先に吐出した後、前記定着剤を付与してもよいし、前記記録媒体への前記定着剤の付与と前記水性インクの吐出とを同時に行ってもよい。
【００５４】
このようにして記録された前記記録媒体は、インクジェット記録装置１から排紙される。本発明によれば、記録用紙Ｐに代えて、布帛に記録を行った場合であっても、水洗後の色落ちが抑制される。この色落ち抑制効果は、前記水性インクに含まれる染料が一般的にアニオン性であることから、前記定着剤に含まれる前記カチオン性化合物により、前記染料の電荷が打ち消されて非水化され、耐水性が高まったためと推定される。ただし、このメカニズムは推定に過ぎず、本発明はこれに限定されない。また、本発明によれば、記録用紙Ｐへの記録時と、布帛への記録時とにおける色の変化（色差）が小さい。なお、図１においては、記録用紙Ｐの給紙機構及び排紙機構の図示を省略している。
【００５５】
図１に示す装置では、シリアル型インクジェットヘッドを採用するが、本発明は、これに限定されない。前記インクジェット記録装置は、ライン型インクジェットヘッドを採用する装置であってもよい。
【００５６】
［記録媒体］
つぎに、本発明の記録媒体について説明する。
【００５７】
本発明の記録媒体は、
基材上に、被覆層が形成された記録媒体であって、
前記被覆層が、式（１）で表されるカチオン性化合物を含むことを特徴とする。
【００５８】
本発明の記録媒体において、前記基材としては、例えば、布帛、記録用紙等があげられる。前記基材への前記被覆層の形成は、例えば、前述の本発明の記録方法における記録媒体への定着剤の付与方法と同様にして実施できる。
【実施例】
【００５９】
つぎに、本発明の実施例について比較例と併せて説明する。なお、本発明は、下記の実施例及び比較例により限定及び制限されない。
【００６０】
〔水性インクの調製〕
インク組成（表１）の各成分を、均一に混合した。その後、得られた混合物を、東洋濾紙（株）製のポリテトラフルオロエチレン（ＰＴＦＥ）タイプメンブレンフィルタ（孔径０．２０μｍ）を用いてろ過することで、インクジェット記録用水性イエローインクＹ、インクジェット記録用水性マゼンタインクＭ、インクジェット記録用水性シアンインクＣ１及びＣ２を得た。
【００６１】
【表１】
2018172500.tif 000004
【００６２】
〔定着剤の調製〕
定着剤組成（表２）の各成分を、均一に混合して、１７種の定着剤を得た。
【００６３】
［実施例１〜１２及び比較例１〜５］
表１に示す水性イエローインクＹ、水性マゼンタインクＭ、水性シアンインクＣ１又はＣ２と、表２に示す１７種の定着剤とを組み合わせることで、実施例１〜１２及び比較例１〜５のインクセットを得た。
【００６４】
実施例１〜１２及び比較例１〜５のインクセットについて、（ａ）画質評価（記録用紙と綿との色差）及び（ｂ）定着性評価（綿での水洗前後の色差）を、下記方法により実施した。
【００６５】
（ａ）画質評価（記録用紙と綿との色差）
（記録用紙の評価サンプルの色測定）
ブラザー工業（株）製のインクジェットプリンタ搭載デジタル複合機ＤＣＰ−Ｊ４２２５Ｎを使用して、実施例及び比較例のインクセットを構成する水性インクを用いて、記録用紙（ブラザー工業（株）製の「ＢＰ６０ＰＡ」）上にイエロー、マゼンタ、シアンの単色パッチを記録し、評価サンプルを作製した。前記評価サンプルの各色パッチの色（Ｌ＊１、ａ＊１及びｂ＊１）を、Ｇｒｅｔａｇ  Ｍａｃｂｅｔｈ社製の分光測色計Ｓｐｅｃｔｒｏｌｉｎｏ（測定視野：２°；白色基準：Ａｂｓ（絶対白色）；光源：Ｄ５０；濃度基準：ＡＮＳＩ  Ｔ）により測定した。前記色（Ｌ＊１、ａ＊１及びｂ＊１）の測定結果は、３回の測定の平均値である。
【００６６】
（綿の評価サンプルの色測定）
平面サイズが１５ｃｍ×５ｃｍの綿（シーチング）上に、実施例及び比較例のインクセットを構成する定着剤１ｇを、スプレー方式により均一に付与した。前記定着剤付与後の綿に、２１０℃を上限とした高温（１８０℃〜２１０℃）のアイロンを２分間かけて乾燥させた。つぎに、前記インクジェットプリンタ搭載デジタル複合機ＤＣＰ−Ｊ４２２５Ｎを使用して、記録用紙におけるのと同様にして、前記綿上にイエロー、マゼンタ、シアンの単色パッチを記録し、評価サンプルを作製した。前記綿の評価サンプルの各色パッチの色（Ｌ＊２、ａ＊２及びｂ＊２）を、前記記録用紙の評価サンプルと同様にして測定した。
【００６７】
（色差（ΔＥ１）の算出）
前記記録用紙の評価サンプルの色と、前記綿の評価サンプルの色との色差（ΔＥ１）を、下記式により算出し、下記評価基準に従って評価した。
ΔＥ１＝｛（Ｌ＊１−Ｌ＊２）２＋（ａ＊１−ａ＊２）２＋（ｂ＊１−ｂ＊２）２｝１／２
【００６８】
画質評価（記録用紙と綿との色差）  評価基準
Ａ：記録用紙と綿との色差（ΔＥ１）が、５．０以下
Ｂ：記録用紙と綿との色差（ΔＥ１）が、５．０を超えて１０．０以下
Ｃ：記録用紙と綿との色差（ΔＥ１）が、１０．０を超える
【００６９】
（ｂ）定着性評価（綿での水洗前後の色差）
（ａ）画質評価（記録用紙と綿との色差）における綿の評価サンプルを、水の中で前記評価サンプルの一部が他の部分と擦れることがない程度に振りながら５分間水洗した。水洗後、乾燥して得られた前記評価サンプルの各色パッチの色（Ｌ＊３、ａ＊３及びｂ＊３）を、（ａ）画質評価（記録用紙と綿との色差）における前記記録用紙の評価サンプルと同様にして測定し、前記綿の評価サンプルの水洗前後での色差（ΔＥ２）を、下記式により算出して、下記評価基準に従って評価した。
ΔＥ２＝｛（Ｌ＊２−Ｌ＊３）２＋（ａ＊２−ａ＊３）２＋（ｂ＊２−ｂ＊３）２｝１／２
【００７０】
定着性評価（綿での水洗前後の色差）  評価基準
Ａ：水洗前と水洗後の色差（ΔＥ２）が、５．０以下
Ｂ：水洗前と水洗後の色差（ΔＥ２）が、５．０を超えて１０．０以下
Ｃ：水洗前と水洗後の色差（ΔＥ２）が、１０．０を超える
【００７１】
実施例１〜１２及び比較例１〜５の定着剤組成及び評価結果を、表２に示す。なお、表２の評価の欄における「Ｙ」は、表１に示す水性イエローインクＹと組み合わせたインクセットでの評価を示し、「Ｍ」は、表１に示す水性マゼンタインクＭと組み合わせたインクセットでの評価を示し、「Ｃ１」及び「Ｃ２」は、表１に示す水性シアンインクＣ１又はＣ２と組み合わせたインクセットでの評価を示す。
【００７２】
【表２】
2018172500.tif 000005
【００７３】
表２に示すとおり、実施例１〜１２では、画質（記録用紙と綿との色差）及び定着性（綿での水洗前後の色差）の評価結果が良好であった。なお、定着剤における界面活性剤の配合量以外を同条件とした実施例４及び９〜１２において、前記界面活性剤の配合量が０．２重量％〜２重量％である実施例４、１０及び１１では、定着性（綿での水洗前後の色差）の評価結果が特に優れていた。一方、式（１）で表されるもの以外のカチオン性化合物を用いた比較例１〜５では、画質（記録用紙と綿との色差）及び定着性（綿での水洗前後の色差）のいずれか又は双方の評価結果が悪かった。
【産業上の利用可能性】
【００７４】
以上のように、本発明のインクセットは、記録用紙と、記録用紙以外の記録媒体との双方の記録に利用可能である。本発明のインクセットの用途は、特に限定されず、各種のインクジェット記録に広く適用可能である。
【符号の説明】
【００７５】
１          インクジェット記録装置
２          インクカートリッジ
３          インク吐出手段（インクジェットヘッド）
４          ヘッドユニット
５          キャリッジ
６          駆動ユニット
７          プラテンローラ
８          パージ装置
【図１】
2018172500.tif 000010
【図２】
2018172500.tif 000011